(57)【要約】【課題】ガスメータより下流のガス配管漏洩の部位をより正確に特定することができるガス漏洩検出装置により、より安全なガス使用を実現すること。【解決手段】ガス圧を測定する圧力センサー１と、測定ガス圧値をデータ送信するデータ通信部２を有するガス器具３と、ガス器具３とのデータ通信を行うデータ通信部４と、ガスメータ内配管のガス圧を測定する圧力センサー５と複数のガス圧測定値の差分演算する差分比較手段６を有するガスメータ７とを備え、ガス器具３側のガス圧計測値をガスメータ７の差分比較手段に送信し、ガスメータ部のガス圧計測値と比較することで、より高精度にガス配管漏洩部を特定することができる。【選択図】図１
2007107991.tif 000002
【特許請求の範囲】
【請求項１】
ガス配管を介して下流側にガス器具を接続するガスメータであって、前記ガス器具のガス圧値を入力し前記ガス器具のガス圧値と前記ガスメータ内ガス配管のガス圧値との差分演算を行う差分比較手段を備えてなるガスメータ。
【請求項２】
ガスメータの下流にガス配管を介して接続されたガス器具と、前記ガス器具のガス圧を測定するガス器具用ガス圧測定手段と、前記ガス器具用ガス圧測定手段で測定したガス圧値をデータ送信するガス器具用データ通信手段と、前記ガス器具用データ通信手段からのガス圧値を受信するガスメータ用データ通信手段とガスメータ内のガス圧を測定するガスメータ用ガス圧測定手段と、前記ガス器具用ガス圧測定手段によって測定されたガス圧値と前記ガスメータ用ガス圧測定手段によって測定されたガス圧値との差分演算を行う差分比較手段とを備えてなるガス漏洩検出装置。
【請求項３】
ガスメータは差分比較手段とガス流量積算表示部とを有し、前記ガスメータに設けられた表示切替手段が、ガス漏洩表示を前記ガス流量積算表示部に切り替えて表示する請求項２記載のガス漏洩検出装置。
【請求項４】
ガスメータにガス不使用判定手段を備えてなるガス請求項２記載のガス漏洩検出装置。
【発明の詳細な説明】
【技術分野】
【０００１】
本発明は、ガス器具のガス圧力を用いてガス配管の漏洩個所を特定するガスメータとガス漏洩検出装置に関するものである。
【背景技術】
【０００２】
従来、この種のガス漏洩検出装置は、ある固有の配管の漏洩検出を目的とし、圧力低下速度を判定し漏洩検出するものであった（例えば、特許文献１参照）。
【０００３】
図３は、従来のガス漏洩検出装置を示すものである。図３において、１０はガス圧力検出を行う圧力判定部、１１はガス漏洩判定する漏洩判定部である。
【特許文献１】特開平８−３１３３２２号公報
【発明の開示】
【発明が解決しようとする課題】
【０００４】
しかしながら、前記従来の構成では、ガス漏洩検出装置の有する漏洩検出機能は、ある固有のガス配管の検出だけ可能であり、ガスメータより下流に接続された複数のガス配管のどこで漏洩があるか確認ができる手段がないという課題を有していた。
【０００５】
本発明は、前記従来の課題を解決するもので、ガスメータに接続されるガス器具のガス圧値と前記ガスメータ内ガス配管のガス圧値との差分演算を行うことで、ガスメータとガス器具とを接続する任意のガス配管のガス漏洩発生部位の検出精度を高めることができるガスメータを提供することを目的とする。
【０００６】
また、ガス器具に付属するガス器具用ガス圧測定手段とガス器具用データ通信手段の通信機能を活用し、ガス圧計測値をガスメータの差分演算手段に送信し、ガス器具のガス圧値とガスメータ部のガス圧値とを比較することで、任意のガス配管のガス漏洩発生部位の検出精度を高めたガス漏洩検出装置を提供することを目的とする。
【課題を解決するための手段】
【０００７】
前記従来の課題を解決するために、本発明のガスメータは、ガス配管を介して下流側にガス器具を接続するガスメータであって、ガス器具のガス圧値を入力しガス器具のガス圧値とガスメータ内ガス配管のガス圧値との差分演算を行う差分比較手段を備え、ガス器具とガスメータのガス圧を比較することによりガス漏洩を検出し、どのガス器具への配管においてガス漏洩しているかを検出できることとなる。
【０００８】
また、本発明のガス漏洩検出装置は、ガスメータとガス器具に付属の圧力検出機能を活用し、ガス圧測定値の差分を判定しガス配管漏洩部の特定できるようにしたものである。
【０００９】
これによって、固有のガス配管だけでなく、家庭内に配管された特定のガス器具への配管のガス漏洩を特定できることが可能となる。
【００１０】
また、本発明のガス漏洩検出装置は、表示手段を、ガスメータの流量積算情報とガス漏洩判定の特定情報をひとつの表示器に切り替えて表示するようにしたものである。
【００１１】
これによって、専用の表示器を設ける必要がなくなる。
【００１２】
さらに、本発明のガス漏洩検出装置は、ガスメータに電気的計量等によるガス未使用判
定部を有し、実際にガスが使用されていない場合にガス漏洩判定するものである。
【００１３】
これによって、ガス使用による圧力変動の影響を受ける恐れのないガス不使用時にのみガス圧の差分比較することで、より精度よく漏洩検出することができる。
【発明の効果】
【００１４】
本発明のガスメータまたはガス漏洩検出装置は、ガスメータとガスメータの下流のガス器具とを接続するガス配管の漏洩の部位を従来に比べより正確に特定することができる。
【発明を実施するための最良の形態】
【００１５】
第１の発明は、ガス配管を介して下流側にガス器具を接続するガスメータであって、前記ガス器具のガス圧値を入力し前記ガス器具のガス圧値と前記ガスメータ内ガス配管のガス圧値との差分演算を行う差分比較手段を備えてなるガスメータにより、ガス器具とガスメータのガス圧を比較することによりガス漏洩を検出し、どのガス器具への配管においてガス漏洩しているかを検出できることとなる。
【００１６】
第２の発明は、ガス器具に付属する圧力センサーと通信機能を活用し、ガス圧計測値をガスメータの差分演算部に送信し、ガスメータ部のガス圧計測値と比較することで、ガス漏洩発生部位の検出精度高めることができる。
【００１７】
第３の発明は、特に、請求項１の漏洩表示と、ガスメータのガス流量の積算情報とをひとつの表示器に切り替えて表示することにより、表示器を減らすことができる。
【００１８】
第４の発明は、特に、請求項１に記載の差分比較部にガス不使用判定機能を備えるため、ガス圧が安定した状態で比較することが可能となり、ガス漏洩の検出精度をより高めることができる。
【００１９】
以下、本発明の実施の形態について、図面を参照しながら説明する。なお、この実施の形態によって本発明が限定されるものではない。
【００２０】
（実施の形態１）
図１は、本発明の実施の形態１におけるガス漏洩検出装置の構成図を示すものである。
【００２１】
図１において、１はガステーブル、ガスファンヒータ、ガス湯沸し器等のガス器具３に内蔵されガス圧計測を行う圧力センサー（ガス器具用ガス圧測定手段）である。２はガス器具３の測定ガス圧値をデータ送信するデータ通信部（ガス器具用データ通信手段）である。４はガスメータ７に内蔵されたガスメータ用データ通信手段であり、データ通信部２からのガス圧値を受信する。５はガスメータ７に内蔵されガスメータ部の圧力を計測する圧力センサー（ガスメータ用ガス圧測定手段）である。６は複数のガス圧測定値の差分演算する差分比較手段であり、ガスメータ７に設けられている。８は表示切替手段であり、ガスメータ７に設けられたガス流量積算表示部（図示せず）に、ガス流量積算値やガス漏洩判定の特定情報を切り替え表示する。９はガスメータ７に内蔵され、常時ガス流量の有無を監視するガス不使用判定手段である。
【００２２】
以上のように構成されたガス漏洩検出装置について、以下その動作、作用を説明する。
【００２３】
まず、ガス器具３に内蔵された圧力センサー１とガスメータ７に内蔵された圧力センサー５は、共に常時圧力を測定しており、またガスメータ７のガス不使用判定手段９は常時ガス流量を計測しガス使用の有無を監視している。ここでガス使用判定手段９がガスの不使用を判断すると、ガスメータの差分比較手段６は、データ通信部４を通じ特定のガス器
具３のデータ通信部２から特定のガス器具３の、その時のガス圧力センサー１の測定値を読込み、ガスメータ７に内蔵された圧力センサー５のその時の測定値と比較し、その測定値同士の比較で差分値が所定の判定値以上となった場合、その特定のガス器具３へのガス配管経路でガス漏洩ありと判定する。
【００２４】
本実施の形態のようにガス器具３が複数台ある場合は、順次この圧力計測を行い順次計測値の通信を繰り返すことで、家庭内の全ての配管経路を確認することができる。このようにガス漏洩が検出された場合、ガスメータ７はガスメータのガス流量積算表示部を表示切替手段８により、ガス流量積算表示と、ガス漏洩検出と判定されたガス器具とを明示する表示手段として用途を切り替えて表示することにより、ガス流量積算表示部を兼用することができる。
【００２５】
以上のように、本実施の形態においてはガス配管の漏洩箇所を特定し表示することにより、容易に識別することができ、ガス使用の安全性をより高めることができる。
【００２６】
なお、本実施の形態においては、ガス流量積算表示部に、ガス流量積算値とガス漏洩表示とを切り替え表示したが、ガス流量積算値とガス流量瞬時値とガス漏洩表示とを切り替え表示してもよい。
【産業上の利用可能性】
【００２７】
以上のように、本発明に係るガスメータとガス漏洩検出装置は、家庭用ガス配管だけでなく、工業用ガス配管のガス漏洩検出にも適用できる。
【図面の簡単な説明】
【００２８】
【図１】本発明の実施の形態におけるガス漏洩検出装置のブロック図
【図２】本発明の実施の形態におけるガス漏洩検出装置のフローチャート
【図３】従来のガス漏洩検出装置のブロック図
【符号の説明】
【００２９】
１  ガス圧測定部（ガス器具用ガス圧測定手段）
２  データ通信部（ガス器具用データ通信手段）
３  ガス器具
４  データ通信部（ガスメータ用データ通信手段）
５  ガス圧測定部（ガスメータ用ガス圧測定手段）
６  差分比較手段
７  ガスメータ
８  表示切替手段
９  ガス不使用判定手段
１０  圧力判定部
１１  漏洩判定部
【図１】
2007107991.tif 000003
【図２】
2007107991.tif 000004
【図３】
2007107991.tif 000005